(57)【要約】  車両のエレベータシステムは、２つの半円からなる中央エレベータシャフト（１３）を有する駐車場ビル用に意図される。駐車エリア（１４）は、異なる高さでエレベータシャフトの周囲に配置される。各エリアは、エレベータシャフト（１４）に隣接する中央半円形内縁部（１６）を有する。互いに独立して動作可能なエレベータは、エレベータシャフト内に配置される。各エレベータプラットフォーム（１）は、エレベータシャフト（１）の上に延びるおおよそ直径の横ばり（１７）上に支持される。プラットフォーム（１）は、そこから半分、エレベータシャフト（１３）内に延びる。横ばり（１７）は、エレベータシャフト（１３）の外部の垂直レール（８、２８）上に取り付けられ、案内される。プラットフォームを有する横ばり（１７）および釣り合い重り（７）の搬送ケーブル（６）は、中央エレベータシャフト（１３）の外部で、上部駐車デッキ（９）の上に配置される。【選択図】図１
2012532259.tif 000002
【特許請求の範囲】
【請求項１】
中央エレベータシャフト（１３）と、前記エレベータシャフトの周囲に配置された駐車エリア（１４）とを有し、各階が、前記エレベータシャフト（１５）に接続された中央円形内縁部（１６）を有する、駐車場ビル内の車両のエレベータシステムであって、互いに独立して動作可能な２基のエレベータが、前記エレベータシャフト内に配置され、各エレベータプラットフォームが、前記エレベータシャフト（１３）の上に延びるおおよそ直径の横ばり（１７）上に支持され、前記プラットフォーム（１）が、そこから半分、前記エレベータシャフト（１３）内に延び、それにより、前記横ばり（１７）が、２つの半円により制限される前記エレベータシャフト（１３）外部の垂直レール（８、２８）上で案内され、それにより、前記プラットフォーム（１９）を有する前記横ばり（１７）および釣り合い重り（７）の搬送ケーブル（６）が、前記中央エレベータシャフト（１３）の外部に配置されることを特徴とする、車両のエレベータシステム。
【請求項２】
各エレベータプラットフォーム（１）が、回転ディスク上に位置決めされ、前記回転ディスク上で、旋回可能なように前記横ばり（１７）の上方に駆動されることを特徴とする、請求項１に記載の車両のエレベータシステム。
【請求項３】
各エレベータプラットフォーム（１）が、２つの線形軸受を使用して横方向に、査定された車両駐車半体の円または半円の中心に移動することができることを特徴とする、請求項１または２に記載の車両のエレベータシステム。
【請求項４】
各エレベータプラットフォーム（１）が回転ディスク（２）上に支持され、前記回転ディスク上で、旋回可能なように前記横ばり（１７）の上に駆動さること、前記エレベータプラットフォーム（１）の２つの端部側（１８）が、末端部（１９）が旋回する際に、各駐車階の駐車エリアの最も近い円形内縁部（１６）で割り込まれ、それにより、前記エレベータプラットフォーム（１）が、両側に、前記駐車エリア（１４）および前記２つの末端部（１９）と平面連続面を形成してしっかりと接続され、前記エレベータプラットフォーム（１）上の重量の変化を前記駐車エリア（１４）で支持することができることを特徴とする、請求項１〜３のいずれか一項に記載の車両のエレベータシステム。
【請求項５】
前記エレベータプラットフォーム（１）の前記端部側の前記縁部（２１）が、円形に延び、前記末端部（１９）が、前記端部側でこれらの縁部（２１）に面する各側で、同じ半径Ｒを有する円形縁部を呈し、それにより、前記末端側で前記末端部をこれらの縁部（２１）に沿って、前記エレベータプラットフォーム（１）の前記端部の前まで駆動することができ、それにより、それぞれの逆縁部（２０）が、前記エレベータプラットフォーム（１）の前に移動した場合、前記縁部が前記駐車エリア（１４）の前記内縁部（１６）と同一平面で終端するような輪郭を呈することを特徴とする、請求項４に記載の車両のエレベータシステム。
【請求項６】
前記エレベータプラットフォーム（１）および前記駐車エリア（１４）の前記内縁部（１６）と同一平面で終端しなければならない前記末端部（１９）が、前記エレベータプラットフォーム（１）および前記駐車エリア（１４）に接続される前記縁部（１６）で割り込むことができる種類の縁部を呈することを特徴とする、請求項５に記載の車両のエレベータシステム。
【請求項７】
各横ばり（１７）が、前記エレベータシャフト（１３）の直径よりも長く、前記エレベータシャフトを通して略斜めに延びること、およびこの横ばり（１７）が、両側、上下で、各ロール（２２）の上で垂直レール（８）上に支持されると共に、クロス軸受（２７）により支持され、前記エレベータシャフト（１３）の周縁において、中央レール（２８）上のローラ軸受により横方向に案内されることを特徴とする、請求項１〜６のいずれか一項に記載の車両のエレベータシステム。
【請求項８】
前記末端部（１９）が、縁部（２４）が前記プラットフォーム（１）に面しながら、前記端部側で前記プラットフォームの前記縁部（２１）上で機械的に案内されることを特徴とする、請求項１〜７のいずれか一項に記載の車両のエレベータシステム。
【請求項９】
前記末端部（１９）が、機械的な支持・操舵シャフトにより前記プラットフォーム（１）に旋回可能に接続され、空気圧、油圧、または電気モータにより、前記プラットフォーム（１）の前記端部側（１８）の前に旋回することができ、前記端部側（１８）の逆方向に旋回することができることを特徴とする、請求項１〜８のいずれか一項に記載の車両のエレベータシステム。
【請求項１０】
各エレベータプラットフォーム（１）が、それ自体の駆動装置（１０）により駆動されること、および前記２つのエレベータプラットフォーム（１）が、互いに独立して動作することができ、前記プラットフォーム（１）が初期状態にある場合のみ、例えば、前記横ばり（１７）に平行して延びる場合のみ、車が横断可能なことが、電子ユニットにより保証されることを特徴とする、請求項１〜９のいずれか一項に記載の車両のエレベータシステム。
【発明の詳細な説明】
【技術分野】
【０００１】
本発明は、多層階駐車場ビル内の車両のエレベータシステムに関する。このシステムによる目的は、車両を素早く安全に昇降させ、さらに、エレベータプラットフォームを回転させることである。自動駐車場ビルは、（特許文献１）からすでに既知であり、（特許文献１）では、中央エレベータを使用して、中央エレベータから、車両が、中央エレベータシャフトの半径方向に配置された駐車階まで押される。この文献で提案されるエレベータは、単一の車両に対するものである。エレベータの構造全体が、縦軸を中心として回転し、それにより、車両を駐車階に向けて異なる方向で押すことができる。駐車される車両がまず、例えば、スキャナにより測定されて、駐車場ビルに存在する駐車場の空きを検出し、そこに、関連付けられたロボットが車両を空間的に最も最適化された様式で配置することができる。車の平面図での輪郭、すなわち、光が垂直にフロアに落ちる場合の車の影および車両の最大高が、この測定に対して十分であることが分かった。車両が、平面図の輪郭を考慮して、空間を最適化した様式で駐車する場合、１台の車の駐車に必要な平均面積は１５ｍ２のみである。外径が８．７ｍのみである環状ディスク上に並べて最大長５．３ｍの車両を駐車することが可能である。最大長５．３ｍを有する車両を１６台、この環状ディスク上に配置することができる。１６台の車両の地面での面積は、（８．７２ｍ）２×Π＝約２３７ｍ２であり、１台の車は約１５ｍ２のフットプリントを必要とする。駐車デッキの高さが１．８０ｍの場合、１６台の車両の配置要件は、約４２７ｍ２であり、１台の車は約２７ｍ２を必要とする。従来の駐車場ビルは、本発明の駐車場ビルと比較して車両毎に大きなフットプリントを必要とする。高密度の駐車場は、決められた駐車場ビル容積内にはるかに多数の車両を駐車できるため、これらの駐車場所の編成では、駐車階で車両をピックアップし、持ち上げ、回転させて押すと共に、これらの逆のことが可能でなければならないエレベータに対して、より高い容積基準が求められる。
【先行技術文献】
【特許文献】
【０００２】
【特許文献１】国際公開第２００６／０３９８３０号パンフレット
【発明の概要】
【発明が解決しようとする課題】
【０００３】
本発明の目的は、中央エレベータシャフトを有する駐車場ビルに対して改良されたエレベータシステムを実現することであり、上記エレベータシステムは、より高い容積が可能であり、製造が簡単であり、安全に動作でき、このエレベータシステムは、車両の昇降および回転が可能である。さらに、このエレベータシステムは、従来の解決策と比較して、駐車場ビル内での余剰性の増大を提供する。
【課題を解決するための手段】
【０００４】
このタスクは、中央エレベータシャフトと、上記エレベータシャフトの周囲に配置された駐車面とを有し、各階が、エレベータシャフトに隣接する中央円形内縁を有する、数階の駐車場ビル内の車両のエレベータシステムであって、互いに独立して動作可能な２基のエレベータが、エレベータシャフト内に配置され、各エレベータプラットフォームが、エレベータシャフトの上方に延びるおおよそ直径の横ばり上に支持され、プラットフォームが、そこから半分エレベータシャフト内に延び、それにより、横ばりが２つの半円により制限されるエレベータシャフト外部の垂直レール上に取り付けられて案内され、それにより、プラットフォームと共に横ばりの搬送ケーブルおよび少なくとも１つの釣り合い重りの搬送ケーブルが、中央エレベータシャフトの外部に配置されることを特徴とする、エレベータシステムにより解決される。
【０００５】
このエレベータシステムを、図および構成要素により詳細に提示し、説明するのと同様に、それらの機能を説明する。エレベータシステムは以下のように示される。
【図面の簡単な説明】
【０００６】
【図１】駆動装置を有するエレベータシステムの２つのプラットフォームのうちの一方の概略図である。
【図２】図１に示されるような概略図であるが、２つのプラットフォームおよびそれぞれが両側に共通の釣り合い重りを有する２つのエレベータを有する。
【図３】上から見た、横ばり、回転ディスク、およびエレベータシャフト内で旋回可能な末端部を有する個々のエレベータプラットフォームである。
【図４】旋回可能なプラットフォームの末端部と、プラットフォーム自体、ならびに駐車デッキの駐車スペースを有する、平面図で示されるエレベータである。
【図５】３つの駐車デッキを有するエレベータプラットフォームの縦断面での側面図である。
【図６】エレベータプラットフォームを有するいくつかの駐車面を通る断面である。
【発明を実施するための形態】
【０００７】
図１は、概略的に表されるため、２つのエレベータプラットフォーム１のうちの一方のみが表されるエレベータシステムを示す。エレベータシステムは、２つの半円で包まれた中央エレベータシャフト１３および異なる駐車階のそれぞれにおいて上記エレベータシャフトの周囲に配置される駐車エリアである駐車デッキ１４を使用して、駐車場ビル内で無人の車両を持ち上げて回転させるように機能する。ここでは、１つのみの個々の環状駐車階１４しか表されないが、実際には、この種のいくつかの駐車デッキ１４が、上下に配置され、中央ホールがエレベータシャフトとして機能し、それにより、上記駐車デッキは、異なる高さの車両を場所が最適化される様式で駐車するために、階が互いに別様に離間されるという点で、高さの異なる階を形成することができる。スポーツカーは本質的に、配達用トラックよりも低い階高を必要とする。したがって、個々の駐車階は、例えば、最大階高１．５０ｍで設計することができ、他は、高さ２．３０ｍまたは任意選択的により高い高さを有することができる。互いから独立して動作可能な２つのエレベータプラットフォーム１は、この特定のエレベータシステムにより、エレベータシャフト１３として機能する中央円形溝内に配置される。簡略にするために、図１は、直径ラインの両側に互いに対称に配置されるこれら２つのエレベータプラットフォームのうちの一方のみ、すなわち、エレベータシャフト１３の示される中心から観察者に向かって突出するエレベータプラットフォームのみを表す。これらのエレベータプラットフォーム１のそれぞれは、エレベータシャフト１３の上に延び、そこから横にエレベータシャフト１３内にホールウェイ（ｈａｌｌｗａｙ）突出する、おおよそ直径方向の横ばり１７上に支持される。エレベータプラットフォーム１に属する横ばり１７は、ここでは一緒に、内部支柱の壁式構造またはスケルトンフレーム構造を有する矩形構造を実現する。エレベータプラットフォーム１は、横ばり１７の上縁部から、観察者の方向に位置決めされたエレベータシャフト１３の側まで延びる。その横ばりと対称に配置される他方の横ばりおよび後方に延びるエレベータプラットフォームは、ここでは表されない。エレベータプラットフォーム１は、支圧強度を得るために、バー３により横ばり１７の下縁部上に支持される。横ばり１７は、エレベータシャフト１３を越えて縦方向に延び、垂直に延びる端縁部が、それぞれ１つのレール８内に取り付けられて案内される。エレベータプラットフォーム１および上記エレベータプラットフォーム上に駐車される車両の重量は、横ばりの上縁部に、横ばりの縁部からエレベータプラットフォーム１に向けられた力を生じさせ、それにより、バー３を介して横ばりの下縁部に力が作用し、上記力は、横ばりの下縁部から直接、逆方向（トルク）に向けられる。これらの力は、鉄製ロールによりレール８上に伝達され、レール８上で、これらの鉄製レールが転がる。中央レール２８をその都度、エレベータシャフト１３の周縁上の２つのレール８の間に配置することができ、エレベータプラットフォームは、バー２７を介して支持されると共に、鉄製ロールによりエレベータプラットフォーム上に支持される。したがって、追加の安定性がエレベータプラットフォーム１に対して得られる。横ばり１７および上記横ばり上に取り付けられたエレベータプラットフォーム１は、搬送ケーブル５により保持される。これらの搬送ケーブルは、ケーブルディスク１１の周りを最上部駐車プラン９の上方で案内され、エレベータシャフト１３から外側に延びる。さらなるケーブルディスク１２がわずかに外側に配置され、その周りをケーブルが下方に案内され、このケーブルは、釣り合い重り７の搬送ケーブル６として機能する。駆動モータ１０は、上部またはケーブルディスク１２と釣り合い重り７との間に設置することができる。有利なことに、ギアなしの外部回転子が駆動モータとして利用される。搬送ケーブル５、６は、エレベータシャフト１３の両側で完全に同期して移動しなければならず、対応するケーブルガイドの場合、１つのモータのみで駆動することができ、またはそれぞれを各自のモータで駆動してもよく、それにより、これらのモータは厳密に同期して移動しなければならない。すべての搬送ケーブル６、および釣り合い重り７を含むそれぞれの駆動装置が、エレベータシャフト１３外部の溝１５内に配置され、溝１５が、すべての駐車デック１４を通して垂直に延び、釣り合い重り７が上記溝内を上下に移動することを考えることが重要である。横ばり１７および旋回するように、上記横ばりに横方向に取り付けられたプラットフォーム１は専ら、エレベータシャフト１３内に配置される。これらの２つの横ばり１７およびプラットフォーム１は、互いに完全に独立して上下移動することができ、プラットフォーム１も、互いに独立して旋回することができる。このために、上記プラットフォームは、駆動可能な回転ディスク２上に置かれ、回転ディスク２上で、エレベータプラットフォーム１は垂直軸を中心として両側に、エレベータシャフトのこの側に向かって１８０°旋回することができ、上記垂直軸は、横ばり１７から上記側に突出する。考慮すべき唯一のことは、プラットフォーム１が横ばり１７に平行に延びる場合のみ、プラットフォーム１が横断許可されることである。プラットフォーム１が旋回したばかりであり、したがって、横ばり１７が第２のプラットフォーム１のエレベータ空間内にある状態で、半体のうちの一方が突出する場合、第２のプラットフォームが垂直に通過し、第１のプラットフォーム１が再び、横ばり１７に対して平行に旋回し、エレベータシャフトの対応する側を移動するまで、待つ必要があり、それから初めて、横ばりは、上昇の途中または下降の途中でこのプラットフォーム１を横断することができる。プラットフォーム１を横断するこの条件は、中央コンピュータにより制御され、保証される。第１のエレベータのプラットフォーム１が横ばり１７に平行する場合、第２のプラットフォームは、完全に制限なしで動作することができる。したがって、このエレベータシステムは、エレベータが何等かの理由により故障した場合にさらなる冗長性を含む。
【０００８】
図２は、同じ図を示すが、それぞれが共通の釣り合い重り７を有する２つのエレベータプラットフォーム１を有する。２つのエレベータシステムに、両側に独立した釣り合い重り７を備えてもよく、または片側にある個々の釣り合い重り７のために、横ばり１７の両側に対応する搬送ケーブル６を有する１つのエレベータシステムを片側のみに備えてもよい。２つの入れ子式線形軸受２６も以下に示され、回転ディスク２は上記線形軸受上に取り付けられ、回転ディスク２上に、エレベータプラットフォーム１が固定される。半円の２つの半体が、互いから小さな距離だけ隔てられて配置されて、エレベータ案内レール８および２つの横ばり１７のためのスペースを生み出すことも示される。中央案内レール２８のうちの１つは、前に見られるが、中央後方案内レール２８は破線で表される。エレベータプラットフォーム１は、バー２７を介してこれらの案内レール２８上で支持され、案内レール２８上で転がり案内され、各プラットフォーム１が２つのレール８、２８上で永久的に案内されるという点でプラットフォーム１のよりよい安定性を保証する。
【０００９】
図３は、上から見たエレベータシャフト１３のウェッジおよび湾曲形態と共に、横ばり１７、回転ディスク２、および旋回可能な末端部１９を有する個々のエレベータプラットフォーム１を示す。見られるように、横ばり１７は、駐車デッキ１４の内縁部１６を越えて両側に延び、エレベータシャフト１３外部に搬送ケーブル上に懸架もされる。入れ子式線形軸２６（図２）上ならびに回転ディスク２上に取り付けられたエレベータプラットフォーム１は、横ばり７から横方向に延びる。この回転ディスク２は、エレベータプラットフォーム１を横ばり１７に対して垂直軸を中心として旋回できるようにする。この旋回は、油圧、空気圧、または電気モータにより実現することができる。エレベータプラットフォーム１の端部側２１は、所定の半径Ｒで丸められる。エレベータプラットフォーム１は、この直径線２３からわずかにずらして取り付けられる。横ばりは、直径線２３の近傍に直接延び、横ばりは、この直径線２３を越えて延び、第２のエレベータプラットフォームの上記直径線に平行する。末端部１９は、エレベータプラットフォームの外側にヒンジで留められ、それにより、図３は、２つの末端部１９のうちの一方のみを示す。この末端部１９は、内縁部２４を表し、その曲率は、エレベータプラットフォーム１の端部側の外縁部２１の半径Ｒに対応する。したがって、末端部１９は、エレベータプラットフォーム１の端部の外縁部２１に沿って内縁部と共に旋回することができる。このために、連結式の機構委が使用され、それに対応して、これらの２つの円形曲率の共通の中心の周囲で末端部１９を案内する。２つの縁部２１、２４は、一緒になって切り欠き−バネ接続を形成するように、一方の縁部が、剪断力に関して、他方の縁部に直接案内される圧力嵌めであるようにも設計される。したがって、より小さな直径および高重量を有するロールが、何ら問題なく、この接続上を転がることができる。末端部１９の外縁部２０は、末端部１９が完全に旋回する場合、駐車デッキ１４の内縁部１６の輪郭においてエレベータプラットフォーム１の端部の前に適合することができる。したがって、縁部２０は、駐車デッキの内縁部１６で割り込む。その結果も、剪断力嵌め（shear force fit）による接続であり、それにより、車両は、上記接続の安定性を損なうことなく、この接続上を転がることができる。エレベータプラットフォーム１の逆側にこの種の第２の末端部１９を使用して、上記側は、駐車デッキ１４のプレートと両側で接続しロックすることができる。
【００１０】
ロボットがエレベータプラットフォーム１に取り付けられ、縦方向において、上記ロボットは、ハサミのように配備することができる横方向アームを有する縦方向に延びるレールを提示する。レールは、縦方向において入れ子式に配備することができ、駐車デッキ上の車両の下を通過し、横方向に配備可能なアームにより、４つの車輪を有する車両をわずかに持ち上げることができる。続けて、車両は、各配備可能な端部において、ロボットに関連付けられた鉄製ロール上を転がる。車両は、エレベータプラットフォーム１上の中央レールを使用して、これらの鉄製ロール上で引っ張ることができる。車両が上記プラットフォームに到達すると、エレベータプラットフォーム１を持ち上げる際に計算された駐車開まで持ち上げられ、コンピュータは、その階での対応する駐車エリアを計算する。この駐車エリアは、２つの半円のうちの一方に配置され、横ばり１７と比較して別の方向に延びることができる。このために、エレベータプラットフォーム１は、回転ディスク２により対応する半円の中心に向かって正しい方向に旋回しなければならない。この横方向の移動および垂直軸を中心とした回転は、エレベータプラットフォームが持ち上げられる際に行うことができ、それにより、エレベータプラットフォーム１の持ち上げおよび旋回移動は、重ね合わせられ、したがって、旋回のためにも持ち上げ時間を使用する。エレベータプラットフォームが正確な階に到達するとすぐに、末端部１９がエレベータプラットフォーム１の端部の前に旋回し、駐車デッキ１４の内縁部１６で割り込む。この割り込みが終了すると、ロボットは、車両をエレベータプラットフォーム１から、コンピュータにより予め決定された駐車エリアに押し、車輪上で上記車両を置換することができ、ロボットはエレベータプラットフォーム１に戻る。次に、末端部１９がロック解除され、エレベータプラットフォームは、旋回し、初期状態まで下方に移動し、新しい車両をピックアップするという点で、横ばり１７に対して平行位置に戻る。任意の所定の駐車エリアから任意の駐車デッキへの駐車車両のピックアップは、真逆の順序で実現される。
【００１１】
図４は、測定を使用して正確に計画された駐車場ビル内部のこのエレベータを示し、駐車エリアは平面図において半径方向に配置される。エレベータシャフトの直径は、例えば、８．５０ｍであり、駐車エリアは異なる長さを有する。駐車場ビルは、本質的に矩形の、すなわち、丸められた角を有する矩形の「平面図」であるため、矩形の角に向けられた駐車エリアは、長さ約６ｍという最長サイズを呈する。駐車エリアは、幅２．２０ｍを有する。それに対応して、それらの駐車エリアは、特に大きく長い車両に使用することができ、その一方で、より小さなサイズの車両は、可能であれば、より短い駐車エリアに駐車させることができる。これらの駐車エリアは、より小さな幅、すなわち、わずか２．１３ｍも有する。エレベータの支持ピラー２５は、エレベータシャフト１３の外部に配置され、釣り合い重り７のそれぞれは、横ばり１７に沿って延びる半円の自由セグメントに配置される。そして、横ばり１７は長さ１０．７０ｍを有し、エレベータシャフト１３の上に両側で１．１０ｍ突出する。２つのエレベータプラットフォーム１のこれらの２つの横ばり１７は、幅約０．４０ｍを有し、支持ピラー２５に沿って延びるレール８上で案内される。プラットフォーム１は、図示の例では横ばり１７に対して約７０°旋回して、逆に配置された駐車エリアにサービス提供する状態を示すために、破線で表される。連続した駆動面を生み出すために、末端部１９は、これが表すように、内縁部１６に向かって旋回した側で、エレベータプラットフォーム１の末端部の前に旋回する。したがって、駐車デッキとの安定した割り込みが得られ、駐車エリアで車両が押されるロボットのレールがごくわずかな不規則性をサポートするため、車両を移動させるために十分な安定性が得られる。プラットフォーム１は、他端部において自由であるか、または第２の末端部１９で割り込むことができ、これは、駆動方向に車両を移送するために必要である。駐車デッキ１４のプレートへの安全な移動を、末端部の形態で、すなわち、設置が２つの半体に分けられるという点で、かつエレベータシャフトの直径、ここでは４０ｃｍの挿入が、エレベータプラットフォーム１の回転中に各位置に従って異なるため、エレベータプラットフォーム１の両側で保証することができる。
【００１２】
図５は、横方向から見たエレベータプラットフォームを示す。回転ディスク２は、例えば、直径２．２０ｍである。階高は、ここでは、１．６０ｍ〜２．３０ｍにばらつく。横ばり１７は高さ１．６０ｍであり、内側に数回、バー３が備えられ、全長１０．７０ｍを有する。上記横ばりは、案内レール８上で横方向に案内される。
【００１３】
図６は、左から見た図５によるエレベータプラットフォームを表す。回転ディスク２は、ここでは、プラットフォームの構築のために、エレベータプラットフォーム１ならびに支持バー３の下に示され、上記構築は、プラットフォーム１およびその重量を横ばり１７上に支持する。さらに、２つのプラットフォーム１の２つの横方向案内レール８も見ることができ、上記２つのプラットフォームは、互いに独立して動作可能であり、そのうちの一方がここでは表される。
【００１４】
番号リスト
・エレベータプラットフォーム
・エレベータプラットフォームの回転ディスク
・エレベータプラットフォームの支持バー
・エレベータプラットフォームの端部側縁部
・エレベータプラットフォームの搬送ロープ
・釣り合い重りの搬送ロープ
・釣り合い重り
・エレベータプラットフォームの横ばりの案内レール
・最上駐車デッキ
・搬送ロープ５、６の駆動装置
・搬送ロープ５の滑車
・搬送ロープ６の滑車
・エレベータシャフト
・駐車デッキ
・駐車デッキの自由セグメント
・エレベータシャフトの内縁部
・エレベータシャフト１の外側
・エレベータプラットフォームの末端部
・末端部１９の外縁部
・エレベータプラットフォームの外端部
・横ばりを案内する鉄製ロール
・円形エレベータシャフトの上の直径線
・末端部１９の内縁部
・支持ピラー
・入れ子式線形軸受
・中央案内レールの水平バー
・中央案内レール
【図１】
2012532259.tif 000003
【図２】
2012532259.tif 000004
【図３】
2012532259.tif 000005
【図４】
2012532259.tif 000006
【図５】
2012532259.tif 000007
【図６】
2012532259.tif 000008
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
中央エレベータシャフト（１３）と、前記エレベータシャフトの周囲に配置された駐車エリア（１４）とを有する、駐車場ビル内の車両のエレベータシステムであって、各階は、前記エレベータシャフト（１５）に接続された中央円形内縁部（１６）を有し、それにより、前記エレベータシステムは、前記エレベータシャフト（１３）内に配置された２基のエレベータを備え、各エレベータは、関連する搬送ケーブル（６）および釣り合い重りを有し、互いに独立して動作することができるエレベータプラットフォーム（１）を有し、各エレベータプラットフォームは、前記エレベータシャフト（１３）の上に延びるおおよそ直径の横ばり（１７）上に支持され、前記プラットフォーム（１）は、そこから半分、前記エレベータシャフト（１３）内に延びる車両のエレベータシステムであって、前記横ばり（１７）が、２つの半円により制限される前記エレベータシャフト（１３）外部の垂直レール（８、２８）に取り付けられて案内され、それにより、前記プラットフォーム（１９）を搬送する前記横ばり（１７）および前記釣り合い重り（７）の搬送ケーブル（６）が、前記中央エレベータシャフト（１３）の外部に配置され、各エレベータプラットフォーム（１）が、回転ディスク上に位置決めされ、前記回転ディスク上でモータにより駆動されて、旋回可能なように前記横ばり（１７）の上に駆動されることを特徴とする、車両のエレベータシステム。
【請求項２】
各エレベータプラットフォーム（１）を、２つの線形軸受と平行に前記車両駐車半体に関連付けられた円または半円の中心に移動させることができることを特徴とする、請求項１に記載の車両のエレベータシステム。
【請求項３】
各エレベータプラットフォーム（１）の２つの端部側（１８）が、各駐車階での末端部（１９）が旋回する際に、各駐車階の駐車エリアの最も近い円形内縁部（１６）で割り込まれ、それにより、前記エレベータプラットフォーム（１）が、両側に、前記駐車エリア（１４）および前記２つの末端部（１９）と平面連続面を形成してしっかりと接続され、前記エレベータプラットフォーム（１）上の重量の変化を前記駐車エリア（１４）で支持することができることを特徴とする、請求項１または２に記載の車両のエレベータシステム。
【請求項４】
前記エレベータプラットフォーム（１）の前記端部側の前記縁部（２１）が、円形に延び、前記末端部（１９）が、前記端部側でこれらの縁部（２１）に面する各側で、同じ半径Ｒを有する円形縁部を呈し、それにより、前記末端側で前記末端部をこれらの縁部（２１）に沿って、前記エレベータプラットフォーム（１）の前記端部の前まで駆動することができ、それにより、それぞれの逆縁部（２０）が、前記エレベータプラットフォーム（１）の前に移動した場合、前記縁部が前記駐車エリア（１４）の前記内縁部（１６）と同一平面で終端するような輪郭を呈することを特徴とする、請求項３に記載の車両のエレベータシステム。
【請求項５】
前記エレベータプラットフォーム（１）および前記駐車エリア（１４）の前記内縁部（１６）と同一平面で終端しなければならない前記末端部（１９）が、前記エレベータプラットフォーム（１）および前記駐車エリア（１４）に接続される前記縁部（１６）で割り込むことができる種類の縁部を呈することを特徴とする、請求項４に記載の車両のエレベータシステム。
【請求項６】
各横ばり（１７）が、前記エレベータシャフト（１３）の直径よりも長く、前記エレベータシャフトを通して略斜めに延びること、およびこの横ばり（１７）が、両側、上下で、各ロール（２２）の上で垂直レール（８）上に支持されると共に、クロス軸受（２７）により支持され、前記エレベータシャフト（１３）の周縁において、中央レール（２８）上のローラ軸受により横方向に案内されることを特徴とする、請求項１〜５のいずれか一項に記載の車両のエレベータシステム。
【請求項７】
前記末端部（１９）が、縁部（２４）が前記プラットフォーム（１）に面しながら、前記端部側で前記プラットフォームの前記縁部（２１）上で機械的に案内されることを特徴とする、請求項１〜６のいずれか一項に記載の車両のエレベータシステム。
【請求項８】
前記末端部（１９）が、機械的な支持・操舵シャフトにより前記プラットフォーム（１）に旋回可能に接続され、空気圧、油圧、または電気モータにより、前記プラットフォーム（１）の前記端部側（１８）の前に旋回することができ、前記端部側（１８）の逆方向に旋回することができることを特徴とする、請求項１〜７のいずれか一項に記載の車両のエレベータシステム。
【請求項９】
各エレベータプラットフォーム（１）が、それ自体の駆動装置（１０）により駆動されること、および前記２つのエレベータプラットフォーム（１）が、互いに独立して動作することができ、前記プラットフォーム（１）が初期状態にある場合のみ、例えば、前記横ばり（１７）に平行して延びる場合のみ、車が横断可能なことが、電子ユニットにより保証されることを特徴とする、請求項１〜８のいずれか一項に記載の車両のエレベータシステム。
【国際調査報告】
2012532259.tif 000009
2012532259.tif 000010
2012532259.tif 000011
2012532259.tif 000012
2012532259.tif 000013
2012532259.tif 000014